【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  伝送路で接続された印刷データ供給装置とプリンタ装置間に印刷データを転送するための方法であって、
前記印刷データ供給装置が保持する印刷データを印刷させるため、前記印刷データ供給装置の属性情報を伴って前記プリンタ装置に対して印刷要求する段階と、
前記要求に応じ、前記プリンタ装置が前記属性情報に基づいて前記印刷データ供給装置にデータ要求する段階と、
前記データ要求に応じ、前記印刷データ供給装置が印刷データを前記プリンタ装置に送信する段階
とを有することを特徴とする印刷データ転送方法。
【請求項２】  前記属性情報は、印刷データ供給装置が保管する印刷データの属性情報であって、印刷対象データへのリンクパス情報であることを特徴とする請求項１記載の印刷データ転送方法。
【請求項３】  前記印刷データ供給装置に対し前記リンクパス情報の基準位置を設定する段階をさらに有することを特徴とする請求項２記載の印刷データ転送方法。
【請求項４】  前記基準位置をコネクション毎に設定することを特徴とする請求項３記載の印刷データ転送方法。
【請求項５】  前記印刷データ供給装置は、前記基準位置が変更された旨を前記データ要求へのレスポンスで通知することを特徴とする請求項３記載の印刷データ転送方法。
【請求項６】  前記印刷データ供給装置は、着脱可能な記録媒体を備え、前記記録媒体の装着があった旨を示すパラメータを用いて、前記基準位置が変更された旨を通知する
ことを特徴とする請求項５記載の印刷データ転送方法。
【請求項７】  前記プリンタ装置に対する印刷要求前に前記印刷データ供給装置に対して前記リンクパス情報の基準位置の設定し、前記印刷要求に対する完了通知を受信するまで前記基準位置の設定を変更しないことを特徴とする請求項３記載の印刷データ転送方法。
【請求項８】  前記属性情報で指定されたリンクパス情報または前記印刷データ内に記載されたリンクパス情報がある基準点からの位置を示す相対パスである場合、
前記属性情報に、さらに前記リンクパス情報の基準位置を指定することを特徴とする請求項１記載の印刷データ転送方法。
【請求項９】  前記プリンタ装置は、
前記印刷要求の段階において前記属性情報として受け取った前記リンクパス情報の基準位置を前記印刷要求に対する完了通知を送信するまで保持する
ことを特徴とする請求項８記載の印刷データ転送方法。
【請求項１０】  前記印刷データ内に記載されたリンクパス情報の基準位置は、前記印刷要求における属性情報で指定されたリンクパス情報から抽出することを特徴とする請求項８記載のデータ転送方法。
【請求項１１】  前記プリンタ装置は、
前記印刷要求における属性情報で指定されたリンクパス情報から抽出した前記リンクパス情報の基準位置を
前記印刷要求に対する完了通知を送信するまで保持する
ことを特徴とする請求項１０記載の印刷データ転送方法。
【請求項１２】  前記プリンタ装置は、
印刷対象データへのリンクパス情報が記載されたリンクファイルを受信し、前記印刷データ供給装置に対し、前記受信したリンクファイルに記載されたリンクパス情報で特定される印刷データを要求することを特徴とする請求項１記載の印刷データ転送方法。
【請求項１３】  前記データ要求と、前記送信とを繰り返すことを特徴とする請求項１記載の印刷データ転送方法。
【請求項１４】  前記データ送信を予め確立されたコネクションを介して行うことを特徴とする請求項１記載の印刷データ転送方法。
【請求項１５】  前記属性情報の全てまたは一部の取得は、前記印刷データ供給装置と前記プリンタ装置との間に確立されたコネクションに対する状態問い合わせによって行うことを特徴とする請求項１４記載の印刷データ転送方法。
【請求項１６】  前記コネクションは、プリンタ装置によって確立されたものであることを特徴とする請求項１４記載の印刷データ転送方法。
【請求項１７】  前記コネクションは、前記印刷データ供給装置または前記プリンタ装置以外の印刷制御装置によって確立されたものであることを特徴とする請求項１４記載の印刷データ転送方法。
【請求項１８】  前記伝送路は、IEEE1394であり、前記コネクションは IEEE1394 におけるEnhanced Asynchronous Serial Bus Connectionsであることを特徴とする請求項１４記載の印刷データ転送方法。
【請求項１９】  前記属性情報は、前記コネクションにおける印刷データ供給装置側の入力ポートを特定するコネクション情報であることを特徴とする請求項１４記載の印刷データ転送方法。
【請求項２０】  前記コネクション情報はIEEE1394 AV/C規格におけるsubunit_plug_idであることを特徴とする請求項１９記載の印刷データ転送方法。
【請求項２１】  前記属性情報が、前記印刷データ供給装置を特定するためのアドレス情報であることを特徴とする請求項１記載の印刷データ転送方法。
【請求項２２】  前記アドレス情報はＩＥＥＥ１３９４ ＡＶ／Ｃ規格におけるＮｏｄｅ＿ＩＤ又はＥＵＩ＿６４であることを特徴とする請求項２１の印刷データ転送方法。
【請求項２３】  前記アドレス情報はＩＥＥＥ１３９４ ＡＶ／Ｃ規格におけるＮｏｄｅ＿ＩＤ又はＥＵＩ＿６４に、Ｓｕｂｕｎｉｔ＿ｔｙｐｅとＳｕｂｕｎｉｔ＿ＩＤとを組み合わせたものであることを特徴とする請求項２１の印刷データ転送方法。
【請求項２４】  前記属性情報が、前記印刷データ供給装置の種類を特定するタイプ情報であることを特徴とする請求項１記載の印刷データ転送方法。
【請求項２５】  前記タイプ情報はＩＥＥＥ１３９４ ＡＶ／Ｃ規格におけるＳｕｂｕｎｉｔ＿Ｔｙｐｅであることを特徴とする請求項２４記載の印刷データ転送方法。
【請求項２６】  前記プリンタ装置は、前記印刷データ供給装置以外の印刷制御装置から前記印刷要求を受信することを特徴とする請求項１記載の印刷データ転送方法。
【請求項２７】  前記プリンタ装置は、前記要求された印刷に必要なデータ受信が完了した後に、前記印刷要求に対する完了通知を送信することを特徴とする請求項１の印刷データ転送方法。
【請求項２８】  前記プリンタ装置は、前記印刷要求された印刷データ及び印刷データからさらに参照された印刷データの受信が必要なくなった後に、前記印刷要求に対する完了通知を送信することを特徴とする請求項１の印刷データ転送方法。
【請求項２９】  前記印刷要求には、前記印刷データ供給装置と関連しない第１パラメータ群と前記印刷データ供給装置に関連する第２パラメータ群とが含まれることを特徴とする請求項１記載の印刷データ転送方法。
【請求項３０】  前記印刷要求は、前記第１パラメータ群と前記第２パラメータ群とを含む一つの命令であることを特徴とする請求項２９記載の印刷データ転送方法。
【請求項３１】  前記印刷要求は、前記第１パラメータ群を含む第１命令と、前記第２パラメータ群を含む第２命令とに分離されていることを特徴とする請求項２９記載の印刷データ転送方法。
【請求項３２】  前記伝送路におけるアドレスが再設定された場合に、
前記印刷データ供給装置と前記プリンタ装置の間のコネクションを復旧し、
次に、前記プリンタ装置に対する印刷要求を再送し、
前記再送要求に対し、前記プリンタ装置は、要求された印刷に必要なデータ受信を再開する
ことを特徴とする請求項１記載の印刷データ転送方法。
【請求項３３】  前記再送要求は、バスリセット後の印刷データ供給装置のアドレス情報に基づくことを特徴とする請求項３２記載の印刷データ転送方法。
【請求項３４】  前記属性情報には、印刷データ供給装置が保管する印刷データのうち、印刷の対象となる第１印刷データの格納位置を絶対パスで指定する第１リンクパス情報と、前記第１印刷データによって参照される第２印刷データの格納位置を示す相対パスの基準位置とが含まれる
ことを特徴とする請求項１記載の印刷データ転送方法。
【請求項３５】  前記印刷データ転送方法は、さらに、前記印刷要求に先立ち、前記伝送路上に、印刷データを保持する印刷データ供給装置と印刷データを印刷するプリンタ装置が接続されているか否かを確認し、前記印刷データ供給装置及び前記プリンタ装置の少なくとも一方が接続されていない場合には、エラーである旨をユーザに通知する段階を含む
ことを特徴とする請求項１記載の印刷データ転送方法。
【請求項３６】  前記プリンタ装置に対する印刷要求では、前記印刷データ供給装置に印刷データを要求する機能を前記プリンタ装置が有するか否かの問い合わせが含まれ、
前記印刷データ転送方法は、さらに、前記プリンタ装置が前記問い合わせに対して返答する段階を含む
ことを特徴とする請求項１記載の印刷データ転送方法。
【請求項３７】  前記プリンタ装置が、前記問い合わせに対して前記機能を有していない旨の返答をした場合には、前記印刷データ供給装置は、前記プリンタ装置からの印刷データの要求を受けることなく、印刷データを前記プリンタ装置に送信する
ことを特徴とする請求項３６記載の印刷データ転送方法。
【請求項３８】  前記印刷データ転送方法は、さらに、前記プリンタ装置が、前記問い合わせに対して前記機能を有していない旨の返答をし、かつ、印刷の対象となる印刷データが上記機能を有するプリンタ装置のみによって印刷可能な場合に、エラーである旨をユーザに通知する段階を含む
ことを特徴とする請求項３６記載の印刷データ転送方法。
【請求項３９】  前記印刷データ転送方法は、さらに、前記印刷要求に先立ち、前記印刷データ供給装置及び前記プリンタ装置の少なくとも一方に状態の問い合わせを行い、その問い合わせに対する返答に応じて、前記プリンタ装置が前記印刷データ供給装置に印刷データを要求しながら印刷データを印刷するプル型の印刷を行うか、前記プリンタ装置が印刷データを要求することなく前記印刷データ供給装置から送信されてくる印刷データを印刷するプッシュ型の印刷を行うかを決定する段階を含む
ことを特徴とする請求項１記載の印刷データ転送方法。
【請求項４０】  前記プル型及びプッシュ型の印刷のいずれを行うかを決定する段階では、
前記プリンタ装置が備えるデータ受信バッファのサイズと印刷の対象となる印刷データのサイズとを比較し、
前記データ受信バッファのサイズが前記印刷データのサイズより大きい場合に、前記プッシュ型の印刷を行うと決定し、前記データ受信バッファのサイズが前記印刷データのサイズ以下である場合に、前記プル型の印刷を行うと決定する
ことを特徴とする請求項３９記載の印刷データ転送方法。
【請求項４１】  伝送路で接続された印刷データ供給装置とプリンタ装置からなる印刷システムであって、
前記印刷データ供給装置は印刷データを保持し、
前記プリンタ装置は、
前記印刷データ供給装置に保持された印刷データを印刷させるため、前記印刷データ供給装置の属性情報を伴って発行された印刷要求を受信する手段と、
前記要求に応じ、前記属性情報に基づいて前記印刷データ供給装置にデータ要求する手段と、
前記データ要求に応じ、前記印刷データ供給装置から送信された印刷データを受信する手段と、
前記印刷データを印刷する手段
とを備えることを特徴とする印刷システム。
【請求項４２】  前記プリンタ装置が、印刷対象データへのリンクパス情報が記載されたリンクファイルを受信する手段を備え、
前記印刷データ要求手段は、前記印刷データ供給装置に対し、前記受信したリンクファイルに記載されたリンクパス情報で特定される印刷データを要求する
ことを特徴とする請求項４１記載の印刷システム。
【請求項４３】  印刷データ供給装置から送信された印刷データの受信を予め確立されたコネクションを介して行うことを特徴とする請求項４１記載の印刷システム。
【請求項４４】  前記属性情報が、前記印刷データ供給装置を特定するためのアドレスであることを特徴とする請求項４１記載の印刷システム。
【請求項４５】  前記属性情報が、前記印刷データ供給装置の種類を特定するタイプ情報であることを特徴とする請求項４１記載の印刷システム。
【請求項４６】  前記プリンタ装置は、前記印刷データ供給装置以外の印刷制御装置から前記印刷要求を受信することを特徴とする請求項４１記載の印刷システム。
【請求項４７】  前記プリンタ装置は、前記要求された印刷に必要なデータ受信が完了した後に、前記印刷要求に対する完了通知を送信することを特徴とする請求項４１の印刷システム。
【請求項４８】  前記伝送路におけるアドレスが再設定された場合に、
前記印刷データ供給装置と前記プリンタ装置の間のコネクションを復旧し、
次に、前記プリンタ装置に対する印刷要求を再送し、
前記再送要求に対し、前記プリンタ装置は、要求された印刷に必要なデータ受信を再開する
ことを特徴とする請求項４１記載の印刷システム。
【請求項４９】  印刷データを保持する印刷データ供給装置と伝送路で接続されたプリンタ装置であって、
前記印刷データ供給装置に保持された印刷データを印刷させるため、前記印刷データ供給装置の属性情報を伴って発行された印刷要求を受信する手段と、
前記要求に応じ、前記属性情報に基づいて前記印刷データ供給装置にデータ要求する手段と、
前記データ要求に応じて、前記印刷データ供給装置から送信された印刷データを受信する手段と、
前記印刷データを印刷する手段
とを備えることを特徴とするプリンタ装置。
【請求項５０】  印刷対象データへのリンクパス情報が記載されたリンクファイルを受信する手段を備え、
前記印刷データ要求手段は、前記印刷データ供給装置に対し、前記受信したリンクファイルに記載されたリンクパス情報で特定される印刷データを要求する
ことを特徴とする請求項４９記載のプリンタ装置。
【請求項５１】  前記印刷データ供給装置から送信された印刷データの受信を
予め確立されたコネクションを介して行うことを特徴とする請求項４９記載のプリンタ装置。
【請求項５２】  前記属性情報が、前記印刷データ供給装置を特定するためのアドレスであることを特徴とする請求項４９記載のプリンタ装置。
【請求項５３】  前記属性情報が、前記印刷データ供給装置の種類を特定するタイプ情報であることを特徴とする請求項４９記載のプリンタ装置。
【請求項５４】  前記印刷データ供給装置以外の印刷制御装置から前記印刷要求を受信することを特徴とする請求項４９記載のプリンタ装置。
【請求項５５】  前記要求された印刷に必要なデータ受信が完了した後に、前記印刷要求に対する完了通知を送信することを特徴とする請求項４９記載のプリンタ装置。
【請求項５６】  前記伝送路におけるアドレスが再設定された場合に、
前記印刷データ供給装置との間のコネクションが復旧された後に印刷要求を再受信し、
前記再送要求に対し、要求された印刷に必要なデータ受信を再開する
ことを特徴とする請求項４９記載のプリンタ装置。
【請求項５７】  受信した印刷データに基づいて画像を形成するプリンタ装置のためのプログラムであって、
請求項４９記載のプリンタ装置が備える手段としてコンピュータを機能させることを特徴とするプログラム。